(57)【要約】      （修正有）【課題】蛇腹状に折り畳まれたページを含み、かつ本体のみで全てのページについて記入しやすい手帳を提供する。【解決手段】手帳１０は、蛇腹状に折り畳まれたシート状被筆記体１０２と、これを挟み込むように設けられた矩形板形状の表表紙１０１Ａおよび矩形板形状の裏表紙１０１Ｂと、表表紙１０１Ａのポケットに収納されたシート状支持体１０３とを備える。また、シート状支持体１０３は、シート状被筆記体１０２の裏面が備える谷の折り目においてシート状被筆記体１０２を展開した状態において、シート状被筆記体１０２のユーザから見た背面の表表紙１０１Ａに覆われない領域を覆うように表表紙１０１Ａから、折り目における展開の方向に延伸され、シート状被筆記体１０２に対するユーザによる筆記が行われる際にシート状被筆記体１０２を支持する。【選択図】図１
0003166099.tif 000002
【実用新案登録請求の範囲】
【請求項１】
蛇腹状に折り畳まれたシート状被筆記体と、
前記蛇腹状に折り畳まれたシート状被筆記体を挟み込むように設けられた矩形板形状の表表紙および矩形板形状の裏表紙と、
前記シート状被筆記体が備える複数の折り目のうち任意の１のみの折り目において前記シート状被筆記体を展開し、当該折り目が谷となる側の面がユーザに対向するように前記シート状被筆記体を配置した状態において、当該シート状被筆記体のユーザから見た背面の前記表表紙および前記裏表紙のいずれにも覆われない領域を覆うように前記表表紙および前記裏表紙の少なくとも一方からユーザによる所定の操作により前記シート状被筆記体の前記折り目における展開の方向に延伸され、前記シート状被筆記体に対するユーザによる筆記が行われる際に前記シート状被筆記体を支持するシート状支持体と
を備える手帳。
【請求項２】
前記シート状支持体は、前記シート状支持体の一の端辺が前記表表紙および前記裏表紙の少なくとも一方に対し固着されており、当該一の端辺を軸とする回動により前記表表紙および前記裏表紙の少なくとも一方から展開されることによって延伸される
請求項１に記載の手帳。
【請求項３】
前記シート状支持体は、前記表表紙および前記裏表紙の少なくとも一方から引き出され延伸される
請求項１に記載の手帳。
【考案の詳細な説明】
【技術分野】
【０００１】
本考案は、折り畳み可能なページを含む手帳に関する。
【背景技術】
【０００２】
従来、予定やメモを記入し、様々な情報を得る手段として、手帳が用いられている。
例えば、特許文献１には、各用紙に切離自在かつ折り畳み自在である、蛇腹状に折り畳まれたカレンダー付き手帳が開示されている。
【先行技術文献】
【特許文献】
【０００３】
【特許文献１】特開２０００−１５８８５２号公報
【考案の概要】
【考案が解決しようとする課題】
【０００４】
ところで、蛇腹状に折り畳まれた、カレンダー等の横幅の長いページを備える手帳の多くにおいては、ページを展開した時に、ページが手帳の表紙から飛び出す形になる。その場合、折り畳めば表紙内に収まるものの、折り目により区切られたページの各区画に文字を記入しようとすると、一部の区画について、文字を記入する際に表紙の支持が無く、机や壁等、手帳以外の支えがなければ記入しにくく不便な場合がある。
【０００５】
そこで、本考案は、蛇腹状に折り畳まれたページを含み、かつ本体のみで全てのページについて記入しやすい手帳を提供することを目的とする。
【課題を解決するための手段】
【０００６】
本考案は、上記の目的に鑑みて想到されたものであり、
蛇腹状に折り畳まれたシート状被筆記体と、
前記蛇腹状に折り畳まれたシート状被筆記体を挟み込むように設けられた矩形板形状の表表紙および矩形板形状の裏表紙と、
前記シート状被筆記体が備える複数の折り目のうち任意の１のみの折り目において前記シート状被筆記体を展開し、当該折り目が谷となる側の面がユーザに対向するように前記シート状被筆記体を配置した状態において、当該シート状被筆記体のユーザから見た背面の前記表表紙および前記裏表紙のいずれにも覆われない領域を覆うように前記表表紙および前記裏表紙の少なくとも一方からユーザによる所定の操作により前記シート状被筆記体の前記折り目における展開の方向に延伸され、前記シート状被筆記体に対するユーザによる筆記が行われる際に前記シート状被筆記体を支持するシート状支持体と
を備える手帳
を提供する（第１の実施態様）。
【０００７】
また、上記の第１の実施態様において、
前記シート状支持体は、前記シート状支持体の一の端辺が前記表表紙および前記裏表紙の少なくとも一方に対し固着されており、当該一の端辺を軸とする回動により前記表表紙および前記裏表紙の少なくとも一方から展開されることによって延伸される
構成を採用してもよい（第２の実施態様）。
【０００８】
また、上記の第１の実施態様において、
前記シート状支持体は、前記表表紙および前記裏表紙の少なくとも一方から引き出され延伸される
構成を採用してもよい（第３の実施態様）。
【考案の効果】
【０００９】
本考案の第１乃至第３の実施態様にかかる手帳によれば、表紙の支持がないページの区画についても手帳以外の支持体によることなく文字を記入することを容易にすることができる。
【図面の簡単な説明】
【００１０】
【図１】図１は、本考案の一実施形態にかかる手帳を示す模式図である。
【図２】図２は、本考案の一実施形態にかかる手帳のシート状被筆記体の表面及び裏面を示す模式図である。
【図３】図３は、本考案の一実施形態にかかる手帳のシート状被筆記体の全ての折り目を折った状態を示す模式図である。
【図４】図４は、本考案の一実施形態にかかる手帳のシート状被筆記体の折り目を展開した状態を示す模式図である。
【図５】図５は、本考案の一実施形態にかかる手帳のシート状被筆記体の全ての折り目を折った状態を示す模式図である。
【図６】図６は、本考案の一実施形態にかかる手帳のシート状被筆記体の折り目を展開した状態を示す模式図である。
【図７】図７は、本考案の一実施形態にかかる手帳のシート状被筆記体の折り目を展開した状態を示す模式図である。
【図８】図８は、本考案の一実施形態にかかる手帳の表表紙のポケットの中に収納されたシート状支持体を引き出した状態を示す模式図である。
【図９】図９は、本考案の一実施形態にかかる手帳を示す模式図である。
【図１０】図１０は、本考案の一実施形態にかかる手帳のシート状被筆記体の表面及び裏面を示す模式図である。
【００１１】
［１．実施形態］
［１．１．第１実施形態］
以下、本考案の一具体例である実施形態を、図面を用いて説明する。
【００１２】
図１は、本実施形態にかかる手帳１０を示す模式図である。手帳１０は、表表紙１０１Ａ、裏表紙１０１Ｂ、シート状被筆記体１０２及びシート状支持体１０３を備えている。なお、手帳１０は実際にはシート状被筆記体１０２を複数枚備えているが、それらの構成はすべて同様であるため、以下の説明においては一番手前に配置されているシート状被筆記体１０２のみについて説明し、他は省略する。
【００１３】
表表紙１０１Ａ及び裏表紙１０１Ｂは、矩形板形状とされ、シート状被筆記体１０２よりも固い素材からなり、シート状被筆記体１０２に文字や図を記入する際にシート状被筆記体１０２を支持することができる。
表表紙１０１Ａは、シート状支持体１０３を引き出し可能に収納するポケットを備え、通常、そのポケットの中にシート状支持体１０３を収納している。
【００１４】
シート状被筆記体１０２は、表表紙１０１Ａ及び裏表紙１０１Ｂよりも横幅の長い用紙でできたカレンダーであり、手帳１０の非使用時は表表紙１０１Ａ及び裏表紙１０１Ｂよりも横幅が短くなるように蛇腹状に折り畳まれて、表表紙１０１Ａ及び裏表紙１０１Ｂに挟持される。
ここで、蛇腹状とは、シート状支持体１０３の長手方向に対し垂直に所定間隔で、山折りと谷折りが交互に並ぶように配置された折り目により複数の区画に折り畳まれた形状をいう。
【００１５】
シート状支持体１０３は、表表紙１０１Ａ及び裏表紙１０１Ｂよりも一回り小さな矩形板形状であり、シート状被筆記体１０２よりも固い素材からなり、表表紙１０１Ａ内に収納される。シート状支持体１０３は、図８（後述）の矢印方向に引き出されることにより、シート状被筆記体１０２の支持体として機能するようになる。
【００１６】
図２は、シート状被筆記体１０２の表面及び裏面を示す模式図である。
図２上段に示されるシート状被筆記体１０２の表面は、折り目によって図２の左から区画Ａ、区画Ｂ、区画Ｃ、区画Ｄ、区間Ｅに区切られており、図２下段に示されるシート状被筆記体１０２の裏面は、折り目によって図２の左から区画Ｅ’、区画Ｄ’、区画Ｃ’、区画Ｂ’、区画Ａ’に区切られている。シート状被筆記体１０２の表面は１月のカレンダー、裏面は２月のカレンダーであり、各区画には１週間分の予定を記入できる。
表面と裏面との対応関係は、区画Ａの裏面は区画Ａ’、区画Ｂの裏面は区画Ｂ’、区画Ｃの裏面は区画Ｃ’、区画Ｄの裏面は区画Ｄ’、区画Ｅの裏面は区画Ｅ’である。
【００１７】
図３は、シート状被筆記体１０２の全ての折り目を折った状態を示す模式図である。
図３に示されるように、全ての折り目において折り畳まれた状態のシート状被筆記体１０２の横幅は、裏表紙１０１Ｂの横幅よりも短くなる。
また、裏表紙１０１Ｂは、区画Ａ、区画Ｃ及び区画Ｅに文字や図を記入する際に、支持体として機能する。
【００１８】
図４は、図３の状態から区画Ｂと区画Ｃとの間の谷の折り目を展開し、ユーザに対向するように配置した状態を示す模式図である。なお、区画Ａと区画Ｂとの間の山の折り目、区画Ｃと区画Ｄとの間の山の折り目及び区画Ｄと区画Ｅとの間の谷の折り目は折られている。
その状態において、シート状被筆記体１０２の横幅は、表表紙１０１Ａ及び裏表紙１０１Ｂの横幅よりも短くなる。
【００１９】
図５は、シート状被筆記体１０２の全ての折り目を折った状態を示す模式図であり、シート状被筆記体１０２の折り目の状態は図３と同じである。
その状態において、シート状被筆記体１０２は表表紙１０１Ａよりも横幅が短くなる。
【００２０】
図６は、図５の状態から区画Ｃと区画Ｄとの間の山の折り目を展開し、ユーザに対向するように配置した状態を示す模式図である。
【００２１】
図７は、図５の状態から区画Ａと区画Ｂとの間の山の折り目を展開し、ユーザに対向するように配置した状態を示す模式図である。
図４乃至図７に示されるように、表表紙１０１Ａは、区画Ｂ、区画Ｄ、区画Ａ’、区画Ｃ’及び区画Ｅ’に文字や図を記入する際に、支持体として機能する。
また、図６及び図７に示されるように、区画Ｃと区画Ｄとの間の山の折り目又は区画Ａと区画Ｂとの間の山の折り目を展開した場合、シート状被筆記体１０２の横幅は表表紙１０１Ａの横幅よりも長くなっており、区画Ｄ’又は区画Ｂ’に文字や図を記入する際に表表紙１０１Ａの支持がなく、表表紙１０１Ａおよび裏表紙１０１Ｂのいずれにも覆われない領域が存在する。
【００２２】
図８は、図７の状態からシート状支持体１０３を矢印方向に引き出した際の模式図である。図８に示されるように、表表紙１０１Ａのポケットから引き出された状態のシート状支持体１０３は、ユーザにより区画Ｄ’及び区画Ｂ’に対し筆記が行われる際の支持体として機能することができる。
従って、シート状支持体１０３が引き出された状態の手帳２０においては、シート状被筆記体１０２に表表紙１０１Ａおよび裏表紙１０１Ｂのいずれにも覆われない領域は存在しない。
【００２３】
以上説明したように、手帳２０によれば、必要に応じてシート状支持体１０３を引き出すことにより、全ての区画について筆記時の支持を得ることができる。
【００２４】
［１．２．第２実施形態］
次に、本考案の第２実施形態について図面を用いて説明する。なお、第２実施形態は第１実施形態と多くの点で共通するため、同様の部分については同じ符号を付し、以下においては第２実施形態が第１実施形態と異なる点を中心に説明を行う。
【００２５】
図９は本実施形態にかかる手帳２０を示す模式図である。手帳２０は、第１実施形態のシート状支持体１０３の代わりにシート状支持体１０３Ａを備えている。
【００２６】
シート状支持体１０３Ａは、シート状支持体１０３と同様の素材、形状であるが、表表紙１０１Ａ内に収納されるのではなく、シート状支持体１０３の一の端辺が表表紙１０１Ａに対し固着されており、その一の端辺を軸とする回動により表表紙１０１Ａから展開されることによって延伸されるようにされている。
【００２７】
シート状支持体１０３Ａは延伸された状態において、区画Ｄ’及び区画Ｂ’を支持する支持体として機能する。
【００２８】
［２．変形例］
上述した実施形態は本考案の技術的思想の範囲内で様々に変形することができる。以下にそれらの変形の例を示す。
【００２９】
上述した実施形態においては、表表紙１０１Ａにシート状支持体１０３を収納又はシート状支持体１０３Ａを固着するようにしたが、図１０に示すように、折り目がシート状被筆記体１０２と逆になっているシート状被筆記体１０２Ａを備えた場合は、区画Ｂ及び区画Ｄを支持するために、裏表紙１０１Ｂにシート状支持体１０３を収納又はシート状支持体１０３Ａを固定するように設けるとよい。
【００３０】
また、折り目が逆になっているシート状被筆記体１０２及びシート状被筆記体１０２Ａが混在している場合は、表表紙１０１Ａ及び裏表紙１０１Ｂの双方にシート状支持体１０３を収納又はシート状支持体１０３Ａを固定するように設けるとよい。
【００３１】
また、シート状被筆記体はカレンダー以外の用途に用いてもよい。さらに、シート状被筆記体の横幅、折り目の数即ち区画の数は任意に変更することができる。
【００３２】
なお、上述した実施形態および変形例において説明した形状、数量等は例示であって、それらにより本考案の技術的範囲が限定的に解釈されるべきではない。
【産業上の利用可能性】
【００３３】
本考案にかかる手帳は、広く量産可能であるため、文房具の製造業において利用可能であるとともに、それらの製造業において製造された手帳が一般消費者に対し販売されるため、小売業等のサービス業にも貢献する。
【符号の説明】
【００３４】
１０、２０…手帳、１０１Ａ…表表紙、１０１Ｂ…裏表紙、１０２、１０２Ａ…シート状被筆記体、１０３、１０３Ａ…シート状支持体
【図１】
0003166099.tif 000003
【図２】
0003166099.tif 000004
【図３】
0003166099.tif 000005
【図４】
0003166099.tif 000006
【図５】
0003166099.tif 000007
【図６】
0003166099.tif 000008
【図７】
0003166099.tif 000009
【図８】
0003166099.tif 000010
【図９】
0003166099.tif 000011
【図１０】
0003166099.tif 000012